(57)【要約】【課題】構成の簡易化を図って、動作不良や掃除の行い難さや床面に凹凸を形成するといった不具合を解消させ、加えて、バリアフリー構造にも対応できる出入口の止水構造を提供する。【解決手段】ドア枠２の側縁に取り付けたヒンジ３を介して回動することで出入口を開閉するドア１であって、このドア１を上下に移動可能にすると共に上方に弾発付勢するバネをヒンジ３に装着する。閉じたドア１を下方に押圧する傾斜面５をドア枠２の上枠２ｂの下面に形成する。傾斜面５の押圧にてバネの付勢に抗ってドア１が下方に位置したときにドア枠２内面に密着されるパッキン６をドア１の下部に幅方向に亙って取り付ける。【選択図】        図１
2004257092.tif 000002
【特許請求の範囲】
【請求項１】
ドア枠の側縁に取り付けたヒンジを介して回動することで出入口を開閉するドアであって、このドアを上下に移動可能にすると共に上方に弾発付勢するバネをヒンジに装着し、閉じたドアを下方に押圧する傾斜面をドア枠の上枠の下面に形成し、傾斜面の押圧にてバネの付勢に抗ってドアが下方に位置したときにドア枠内面に密着されるパッキンをドアの下部に幅方向に亙って取り付けたことを特徴とする出入口の止水構造。
【請求項２】
傾斜面に転接するコロをドアの上端に設けたことを特徴とする請求項１記載の出入口の止水構造。
【請求項３】
ドア枠の側縁に取り付けたヒンジを介して回動することで出入口を開閉するドアであって、このドアの下部にドアの幅方向に亙るようなパッキンを設け、ドアに対してパッキンを上下に移動自在にするリンクをその一端をドアに他端をパッキンにそれぞれ回転自在に連結し、パッキンを上方に吊り上げてパッキンの側縁をドアの戸先側に突出させるようにパッキンを付勢するバネをその一端をドアに他端をパッキンに連結し、ドアの戸先側に突出したパッキンの側縁をバネの付勢に抗って下方に押圧してパッキンをドア枠内面に密着させる傾斜面をドア枠の戸先側の縦枠の内面に形成したことを特徴とする出入口の止水構造。
【発明の詳細な説明】
【０００１】
【発明の属する技術分野】
本発明は、バリアフリー構造の浴室の出入口などに採用される出入口の止水構造に関する発明である。
【０００２】
【従来の技術】
従来から、浴室と脱衣所等の隣室とを連通させる浴室の出入口において、浴室の床面、該出入口の床面、隣室の床面を段差のない略面一状態にするバリアフリー構造を採用したものがある。このようにバリアフリー構造を採用した浴室の出入口では、床面が面一なことから、そのままでは浴室の床面に溢れた浴水が流れて隣室の床面にまで至ってしまう。しかして、バリアフリー構造を採用した浴室の出入口では、浴室の浴水を隣室に至らしめないように止水する止水構造が設けられるのであり、この止水構造にはたとえば図８に示すものがある（たとえば、特許文献１参照）。
【０００３】
この図８の止水構造は、ドア１の開閉動作に連動して起倒する止水フラップ板２１を下枠２ａの幅方向に亙って取り付けたものである。詳しくは、ドア枠２の下枠２ａにその幅方向に亙って上方に開口する排水溝２２を形成し、上記排水溝２２の開口を塞ぐように止水フラップ板２１を配置し、ドア１の開閉に連動して止水フラップ板２１の回動端を上方に押し上げる機構部２３を排水溝２２内に埋設したものである。ここで、機構部２３は、閉じたドア１に当接されて水平方向にスライドするトリガー２４、トリガー２４の水平スライド動を上下の突没動に変換して止水フラップ板２１を持ち上げるレバー２５を有して構成されている。なお、図中２６は、ドア枠２の縦枠２ｃ（２ｄ）と起立した止水フラップ板２１との間に止水を施すと共に止水フラップ板２１の上方回動を規制するブロック体である。上記構成の止水構造では、ドア１が出入口を開けたときには止水フラップ板２１は排水溝２２の開口を塞ぐように倒れていて出入口の床面を面一の状態に維持し、ドア１が出入口を閉じたときには止水フラップ板２１は起立し（図中矢印Ｃ）、浴室で溢れた浴水を止水して排水溝２２に流し得るようにされているのである。
【０００４】
【特許文献１】
特開平１０−２７３９９２号公報
【０００５】
【発明が解決しようとする課題】
しかしながら上記止水構造は、機構部２３など構成が複雑であるから動作不良を生じ易く、掃除なども行いにくい、また、床面上に突設されるトリガー２４が床面の面一化を妨げるといったことが問題となっていた。
【０００６】
本発明は上記の点に鑑みてなされたものであり、構成の簡易化を図って、動作不良や掃除の行い難さや床面に凹凸を形成するといった不具合を解消させ、加えて、バリアフリー構造にも対応できる出入口の止水構造を提供することを課題とするものである。
【０００７】
【課題を解決するための手段】
上記課題を解決するために本発明に係る出入口の止水構造は、ドア枠２の側縁に取り付けたヒンジ３を介して回動することで出入口を開閉するドア１であって、このドア１を上下に移動可能にすると共に上方に弾発付勢するバネ４をヒンジ３に装着し、閉じたドア１を下方に押圧する傾斜面５をドア枠２の上枠２ｂの下面に形成し、傾斜面５の押圧にてバネ４の付勢に抗ってドア１が下方に位置したときにドア枠２内面に密着されるパッキン６をドア１の下部に幅方向に亙って取り付けたことを特徴とする。
【０００８】
これによると、ドア１を開いたときにはヒンジ３に装着したバネ４の付勢を受けて上方位置に位置した状態でドア１は回動されるのであり、ドア１を閉じたときにはドア１の上端がドア枠２の傾斜面５に当接し、ヒンジ３のバネ４の付勢に抗って下方位置に位置された状態でドア１はドア枠２内に嵌り込み、このときドア１の下部に設けたパッキン６がドア枠２内面に押し付けられて密着されるようになる。つまり、ドア１を開くように回動したときには、ドア１は上方位置に位置されてパッキン６はドア枠２の下枠２ａの上面よりも高い位置を維持することができるから、パッキン６が床面上に引きずられる支障もなくドア１を回動させることができるのであり、また、ドア１を閉めたときには、パッキン６をドア枠２内面に押し当てて出入口に止水を施すようにできるのである。このように、ドア１を支障無く開閉すると共にドア１を閉めたときには出入口に止水を施すことを可能とするのに、ドア１自身を上下に移動させてパッキン６をドア枠２に接離させる簡単な構成で行わせており、また従来技術にある床面から突設されるトリガー２４に相当する部材もないので、構成の複雑さを原因とする動作不良や清掃の困難性を解消できると共に、床面も常時面一状態に形成できてバリアフリー構造にも良好に対応させることができるのである。
【０００９】
また、傾斜面５に転接するコロ７をドア１の上端に設けたことも好ましい。これによると、ドア１の上端を傾斜面５に当接させる際にコロ７によって当接にかかる抵抗を少なくでき、つまりスムーズにドア１を閉じることができるのである。
【００１０】
また、上記課題を解決するために本発明に係る出入口の止水構造は、ドア枠２の側縁に取り付けたヒンジ３’を介して回動することで出入口を開閉するドア１であって、このドア１の下部にドア１の幅方向に亙るようなパッキン６を設け、ドア１に対してパッキン６を上下に移動自在にするリンク１６をその一端をドア１に他端をパッキン６にそれぞれ回転自在に連結し、パッキン６を上方に吊り上げてパッキン６の側縁をドア１の戸先側に突出させるようにパッキン６を付勢するバネ１７をその一端をドア１に他端をパッキン６に連結し、ドア１の戸先側に突出したパッキン６の側縁をバネ１７の付勢に抗って下方に押圧してパッキン６をドア枠２内面に密着させる傾斜面１８をドア枠２の戸先側の縦枠２ｃの内面に形成したことを特徴とする。
【００１１】
これによると、ドア１を開いたときにはバネ１７の付勢によってパッキン６が上方位置に位置した状態でドア１は回動されるのであり、ドア１を閉じたときには戸先側の側縁がドア１の側方に突出したパッキン６がドア枠２の傾斜面１８に当接することで、リンク１６による動作規制を受けつつバネ１７の付勢に抗ってパッキン６が下方位置に位置され、このときパッキン６がドア枠２内面に押し付けられて密着されるようになる。つまり、ドア１を開くように回動したときには、上方位置に位置されたパッキン６はドア枠２の下枠２ａの上面よりも高い位置を維持することができるから、パッキン６が床面上に引きずられる支障もなくドア１を回動させることができるのであり、また、ドア１を閉めたときには、パッキン６をドア枠２内面に押し当てて出入口に止水を施すようにできるのである。このように、ドア１を支障無く開閉すると共にドア１を閉めたときには出入口に止水を施すことを可能とするのに、パッキン６自身を上下に移動させてドア枠２に接離させる簡単な構成で行わせており、また従来技術にある床面から突設されるトリガー２４に相当する部材もないので、構成の複雑さを原因とする動作不良や清掃の困難性を解消できると共に、床面も常時面一状態に形成できてバリアフリー構造にも良好に対応させることができるのである。
【００１２】
【発明の実施の形態】
本発明は、止水処理が必要とされる浴室の出入口などに採用される出入口の止水構造であり、その目的とするところは、支障無くドア１を開閉させると共にドア１を閉めた際に出入口に止水を施すようにすることを、簡単な構成で行わせ、動作不良や清掃の困難性などの構成の複雑さに伴なう不具合を無くし、加えて、従来技術にある床面から突設されるトリガー２４に相当する部材を無くして床面を常時面一状態に形成し、バリアフリー構造にも良好に対応できるようにした出入口の止水構造である。以下、本発明を添付図面に示す実施形態に基づいて説明する。
【００１３】
図１乃至図４に本発明の実施の形態の例を示す。出入口には、下枠２ａ、上枠２ｂ、１対の縦枠２ｃ，２ｄを矩形枠状に組んだドア枠２が配置され、ドア枠２にはヒンジ３を介して回動するドア１が配置されている。なお、戸当たり８はドア枠２の上枠２ｂ及び１対の縦枠２ｃ，２ｄに内方に突出して形成されており、ドア枠２の下枠２ａの上面は面一状に形成されている。また、ドア枠２の上枠２ｂの下面における戸当たり８よりもドア１側の部位には、図４に示すようにドア１の閉じ方向程下方に傾斜せる傾斜面５が形成されている。詳しくは、上記傾斜面５は縦断面円弧状の曲面である。
【００１４】
また本例では、ドア枠２にドア１を取り付けるヒンジ３には図３に示すものを用いている。つまり、このヒンジ３は、ドア１に固定されるドア側金具９及びドア枠２に固定されるドア枠側金具１０の一対の肘壷金具、これら肘壷金具を回転自在に枢支連結する枢支軸１１、枢支軸１１の軸廻りに配置されるコイルバネ状のバネ４を有し、ドア側金具９を上位置にドア枠側金具１０を下位置にして並べて配置し、このときドア側金具９及びドア枠側金具１０の枢支軸挿通孔１２同士を連通させ、軸廻りにバネ４を取り付けた枢支軸１１を連通した枢支軸挿通孔１２に挿入して構成されている。ここで、上記バネ４は、ドア側金具９とドア枠側金具１０との間に介装されてドア側金具９とドア枠側金具１０との距離を保つと共に、ドア１の自重に抗うようにドア１を上方に弾発付勢している。つまり、上記ヒンジ３によってドア１は、上下に移動可能にされると共に上方に付勢され、ドア枠２の下枠２ａの上面から少し浮き上がった状態で、ドア枠２に取り付けられている。なお、ドア１及びドア枠２の幅方向につき、ヒンジ３を介して連結された側を戸元側と称し、戸元側の反対の側を戸先側と称する。ドア１の板面の戸先側の部位には取っ手１３が設けられている。
【００１５】
本例のドア１の上端には、ドア１の厚み方向に回転するコロ７がその上半分をドア１の上端面から上方に突出するかたちで、ドア１の戸先側及び戸元側に一対配設されている。また、ドア１の下部には下方及びドア１の幅方向に開口せるスリット１４が穿設され、このスリット１４にドア１の幅方向に亙る縦板状のパッキン６が、その幅方向両端部及び下端部をドア１から外方に突出させるかたちで、配設されている。なお、厳密には、パッキン６の幅寸法はドア枠２の縦枠２ｃ，２ｄの内面間の寸法と略同寸法に形成されており、パッキン６の下端部のドア１からの突出寸法はドア１を閉めたときにパッキン６の下端部がドア枠２の下枠２ａの上面に弾接される程の寸法に設定される。
【００１６】
上記構成の出入口にあって、ドア１を開いたときには、図２に示すように、ヒンジ３に装着したバネ４の付勢を受けてドア１は上方位置に位置しており、この状態でドア１は回動される。なお、上方位置に位置したドア１のパッキン６の下端は、ドア枠２の下枠２ａの上面よりも上方位置に位置されている（隙間Ｈ参照）。一方、ドア１を閉じたときには、図１に示すように、ドア１の上端のコロ７がドア枠２の傾斜面５に沿って転接し、この傾斜面５によるドア１の下方への押圧によってヒンジ３のバネ４の付勢に抗ってドア１が下方位置に位置され、この状態でドア１はドア枠２内に嵌り込む（図４中矢印Ａ参照）。そして、このときには、ドア１の下部に設けたパッキン６が、ドア枠２の一対の縦枠２ｃ，２ｄの内面の下部部位及び下枠２ａの上面の幅方向に亙る部位に押し付けられて密着し、ドア１とドア枠２との間に水密構造が形成される。つまり、ドア１を開くように回動したときには、ドア１は上方位置に位置されてパッキン６はドア枠２の下枠２ａの上面よりも高い位置を維持することができるから、パッキン６が床面上に引きずられる支障もなくドア１を回動させることができるのであり、また、ドア１を閉めたときには、上述したようにパッキン６がドア枠２内面に押し当てられて出入口に止水が施されるようになる。
【００１７】
なお、本例では、ドア１の上端に設けたコロ７を傾斜面５に転接させることで、ドア１の上端の傾斜面５への当接にかかる抵抗を少なくしてスムーズにドア１の閉塞を行えるようにしているが、たとえばドア１の上端を直接傾斜面５に当接させるようにしてもよい。このような場合でも、たとえばドア１の上端に閉じ方向程下方に傾斜せるＲ部などを形成させることで、ドア１の上端の傾斜面５への当接にかかる抵抗を少なくできてドア１の閉塞をスムーズに行わせることが可能になるのは言うまでもない。また、本例のコロ７はドア１の厚み方向に回転する車輪状のものを用いているが、方向自在に回動できるボール状のものを用いても好ましい。
【００１８】
上述したように、本例の出入口の構造では、ドア１を支障無く開閉すると共にドア１を閉めたときには出入口に止水を施し得るものであるが、これを可能とするのに、図８の従来技術の例のようにドア１の回動に連動させて止水フラップ板２１を起倒させる複雑な機構部２３を備えるものでなく、ドア１自身を上下に移動させてパッキン６をドア枠２に接離させるといった簡単な構成で行わせたものである。したがって、本例の出入口の構造では、図８の従来技術の例で問題とされた構成の複雑さを原因とする動作不良や清掃の困難性は、解消されているのであり、また上記従来技術の例にある床面から突設されるトリガー２４に相当する部材もないので、出入口の床面も常時面一状態にされるのであって、バリアフリー構造にも良好に対応させることが可能にされているのである。
【００１９】
また、図５乃至図７には本発明の実施の形態の他例を示す。なお、先の実施の形態の例と同様部位には同符号を記して説明を省略し、異なる部分につき説明する。
【００２０】
本例のドア１も、先の実施の形態の例同様にドア枠２にヒンジ３を介して回動することで出入口を開閉するものであるが、本例のヒンジ３’には、ドア１を上下に移動可能にしたりバネ１７にてドア１を上方に付勢する機能のない、単にドア１を回動自在にドア枠２に取付ける機能を有した通常タイプのものが用いられている。また、本例のドア１の下部には、戸先側と戸元側とに並べて配置した一対のリンク機構１５を介してパッキン６が取り付けられている。なお、上記リンク機構１５は後で詳述するが、ドア１の下部に穿設したスリット１４内にパッキン６と共に配設されている。また、本例のドア枠２にあっては、図５（ｂ）に示すように、戸先側の縦枠２ｃの戸当たり８よりもドア１側の部位に、ドア１の閉じ方向程内方に傾斜せる傾斜面１８を形成している。詳しくは、上記傾斜面１８は水平断面円弧状の曲面である。
【００２１】
上記リンク機構１５はリンク１６とバネ１７で構成されている。リンク１６は、ドア１に対してパッキン６を吊持させるように、一端をドア１に、他端をパッキン６にそれぞれ回動自在に連結している。また、バネ１７は、上方に吊り上げるようにパッキン６を付勢するべく、一端をドア１に他端をパッキン６に連結している。そして、リンク１６やバネ１７は、リンク１６のパッキン６への連結部分がリンク１６のドア１への連結部分よりも下方位置で且つ戸先側に位置され、バネ１７のパッキン６への連結部分がリンク１６のパッキン６への連結部分と同位置に位置され、バネ１７のドア１への連結部分がバネ１７のパッキン６への連結部分の略垂直上方位置に位置される、といったような位置関係を有している。上述した位置関係を有するリンク１６とバネ１７とからなる一対のリンク機構１５によって、パッキン６は図５中矢印Ｂのようにドア１に対して斜めに平行移動可能にされている。
【００２２】
しかして、パッキン６は、通常の状態ではバネ１７の付勢を受けて、パッキン６の下端がスリット１４内に収納されると共にパッキン６の側縁がドア１の戸先側に突出されるように、上方位置に位置されるようになっており、また、ドア１の戸先側に突出したパッキン６の側縁をバネ１７の付勢に抗って下方に押圧したりしてパッキン６を矢印Ｂのように斜め下方に平行移動させると、パッキン６の幅方向の両端部がドア１の幅方向両端から外方に突出されると共にパッキン６の下端部がドア１の下端から下方に突出されるように、パッキン６は下方位置に位置されるようになっている。
【００２３】
上記構成の出入口にあって、ドア１を開いたときには、図６に示すように、リンク機構１５のバネ１７の付勢を受けてパッキン６は上方位置に位置しており、この状態でドア１は回動される（隙間Ｈ参照）。なお、上方位置に位置したパッキン６の下端は、ドア１のスリット１４内に収納されてドア枠２の下枠２ａの上面よりも上方に位置されている。一方、ドア１を閉じたときには、図５に示すように、ドア１の戸先側に突出したパッキン６の側縁がドア枠２の戸先側の縦枠２ｃの傾斜面１８に当接し（図５中の点線で示すパッキン６の動作参照）、この傾斜面１８によるパッキン６の下方への押圧によってリンク機構１５のバネ１７の付勢に抗ってパッキン６が下方位置に位置され、この状態でドア１はドア枠２内に嵌り込む（矢印Ｂ参照）。そして、このときには、ドア１の下方や幅方向に突出されたパッキン６が、ドア枠２の一対の縦枠２ｃ，２ｄの内面の下部部位及び下枠２ａの上面の幅方向に亙る部位に押し付けられて密着し、ドア１とドア枠２との間に水密構造が形成される。つまり、ドア１を開くように回動したときには、上方位置に位置されたパッキン６の下端がドア枠２の下枠２ａの上面よりも高い位置を維持することができるから、パッキン６が床面上に引きずられる支障もなくドア１を回動させることができるのであり、また、ドア１を閉めたときには、上述したようにパッキン６がドア枠２内面に押し当てられて出入口に止水が施されるようになる。
【００２４】
上述したように、本例の出入口の構造でも、先の実施の形態の例同様、ドア１を支障無く開閉すると共にドア１を閉めたときには出入口に止水を施し得るものであるが、これを可能とするのに本例は、図８の従来技術の例のようにドア１の回動に連動させて止水フラップ板２１を起倒させる複雑な機構部２３を備えるものでなく、パッキン６自身を上下に移動させてパッキン６をドア枠２に接離させるといった簡単な構成で行わせたものである。したがって、本例の出入口の構造では、図８の従来技術の例で問題とされた構成の複雑さを原因とする動作不良や清掃の困難性は、解消されているのであり、また上記従来技術の例にある床面から突設されるトリガー２４に相当する部材もないので、出入口の床面も常時面一状態にされるのであって、バリアフリー構造にも良好に対応させることが可能にされているのである。
【００２５】
なお、図７に示すようにパッキン６の上半分を硬質材１９で下半分を軟質材２０で構成したり、パッキン６を硬質材１９または軟質材２０の１種類で構成したりして、パッキン６の弾性の度合いを適宜設定するようにするのも好ましい。特に図７のパッキン６を上記実施の形態の他例のような傾斜面１８に直接当接されるパッキン６に用いると、傾斜面１８が押圧するパッキン６の部位は硬質材１９であってこの押圧力がロス無くパッキン６に負荷されてパッキン６の移動を効率よく行うことができると共に、ドア枠２に密着されるパッキン６の部位は軟質材２０であってパッキン６をドア枠２に弾接させて強固な止水構造を得ることができて好ましいのである。
【００２６】
【発明の効果】
上記のように本発明の請求項１記載の発明にあっては、ドア枠の側縁に取り付けたヒンジを介して回動することで出入口を開閉するドアであって、このドアを上下に移動可能にすると共に上方に弾発付勢するバネをヒンジに装着し、閉じたドアを下方に押圧する傾斜面をドア枠の上枠の下面に形成し、傾斜面の押圧にてバネの付勢に抗ってドアが下方に位置したときにドア枠内面に密着されるパッキンをドアの下部に幅方向に亙って取り付けたので、ドアを開くように回動したときには、ドアは上方位置に位置されてパッキンはドア枠の下枠の上面よりも高い位置を維持することができるから、パッキンが床面上に引きずられる支障もなくドアを回動させることができるのであり、また、ドアを閉めたときには、パッキンをドア枠内面に押し当てて出入口に止水を施すようにできるのであり、このように、ドアを支障無く開閉すると共にドアを閉めたときには出入口に止水を施すことを可能とするのに、ドア自身を上下に移動させてパッキンをドア枠に接離させる簡単な構成で行わせており、また従来技術にある床面から突設されるトリガーに相当する部材もないので、構成の複雑さを原因とする動作不良や清掃の困難性を解消できると共に、床面も常時面一状態に形成できてバリアフリー構造にも良好に対応させることができるのである。
【００２７】
また、請求項２記載の発明にあっては、請求項１の効果に加え、傾斜面に転接するコロをドアの上端に設けたので、ドアの上端を傾斜面に当接させる際にコロによって当接にかかる抵抗を少なくでき、つまりスムーズにドアを閉じることができるのである。
【００２８】
また、請求項３記載の発明にあっては、ドア枠の側縁に取り付けたヒンジを介して回動することで出入口を開閉するドアであって、このドアの下部にドアの幅方向に亙るようなパッキンを設け、ドアに対してパッキンを上下に移動自在にするリンクをその一端をドアに他端をパッキンにそれぞれ回転自在に連結し、パッキンを上方に吊り上げてパッキンの側縁をドアの戸先側に突出させるようにパッキンを付勢するバネをその一端をドアに他端をパッキンに連結し、ドアの戸先側に突出したパッキンの側縁をバネの付勢に抗って下方に押圧してパッキンをドア枠内面に密着させる傾斜面をドア枠の戸先側の縦枠の内面に形成したので、ドアを開くように回動したときには、上方位置に位置されたパッキンはドア枠の下枠の上面よりも高い位置を維持することができるから、パッキンが床面上に引きずられる支障もなくドアを回動させることができるのであり、また、ドアを閉めたときには、パッキンをドア枠内面に押し当てて出入口に止水を施すようにできるのであり、このように、ドアを支障無く開閉すると共にドアを閉めたときには出入口に止水を施すことを可能とするのに、パッキン自身を上下に移動させてドア枠に接離させる簡単な構成で行わせており、また従来技術にある床面から突設されるトリガーに相当する部材もないので、構成の複雑さを原因とする動作不良や清掃の困難性を解消できると共に、床面も常時面一状態に形成できてバリアフリー構造にも良好に対応させることができるのである。
【図面の簡単な説明】
【図１】本発明の実施の形態の例のドアを閉じた状態の出入口であり、（ａ）は正面図であり、（ｂ）は（ａ）のＤ−Ｄ線断面図である。
【図２】同上のドアを開けた状態の出入口であり、（ａ）は上面図であり、（ｂ）は正面図である。
【図３】同上のヒンジの正面図である。
【図４】同上のドアの閉じ動作を説明する説明図である。
【図５】本発明の実施の形態の他例のドアを閉じた状態の出入口であり、（ａ）は正面図であり、（ｂ）は（ａ）の概略下面図である。
【図６】同上のドアを開けた状態の出入口であり、（ａ）は正面図であり、（ｂ）は（ａ）の概略下面図である。
【図７】本発明の実施の形態の更に他例のパッキンの正面図である。
【図８】従来技術の例を示す出入口の側面図である。
【符号の説明】
１  ドア
２  ドア枠
２ａ  下枠
２ｂ  上枠
２ｃ  戸先側の縦枠
２ｄ  戸元側の縦枠
３  ヒンジ
４  バネ
５  傾斜面
６  パッキン
７  コロ
１６  リンク
１７  バネ
１８  傾斜面
【図１】
2004257092.tif 000003
【図２】
2004257092.tif 000004
【図３】
2004257092.tif 000005
【図４】
2004257092.tif 000006
【図５】
2004257092.tif 000007
【図６】
2004257092.tif 000008
【図７】
2004257092.tif 000009
【図８】
2004257092.tif 000010